(57)【要約】【課題】圧縮機の傾きを防ぎ、省スペース化および振動伝播の低減が可能な空気調和機の室外機を提供する。【解決手段】空気調和機の室外機１は、圧縮機２と、底フレーム３と、アキュームレータ４とを備えている。圧縮機２は、複数の脚部５、６、７を有する。底フレーム３は、複数の脚部５、６、７を下方からそれぞれ支持する複数の取付台座８、９、１０を有する。アキュームレータ４は、圧縮機２の側方に装着されている。複数の取付台座８、９、１０のうちアキュームレータ４に近い少なくとも１つの取付台座８の高さは、アキュームレータから遠い他の取付台座９、１０の高さよりも高く設定されている。【選択図】図２
2008151360.tif 000002
【特許請求の範囲】
【請求項１】
複数の脚部（５、６、７）を有する圧縮機（２）と、
前記複数の脚部（５、６、７）を下方からそれぞれ支持する複数の取付台座（８、９、１０）を有する底フレーム（３）と、
前記圧縮機（２）の側方に装着されたアキュームレータ（４）と
を備えており、
前記複数の取付台座（８、９、１０）のうち前記アキュームレータ（４）に近い少なくとも１つの前記取付台座（８）の高さは、前記アキュームレータから遠い他の前記取付台座（９、１０）の高さよりも高く設定されている、
空気調和機の室外機（１）。
【請求項２】
複数の脚部（２５、２６、２７）を有する圧縮機（２２）と、
前記複数の脚部（２５、２６、２７）を下方からそれぞれ支持する複数の取付台座（２８、２９、３０）を有する底フレーム（２３）と、
前記取付台座（２８、２９、３０）と前記脚部（２５、２６、２７）との間にそれぞれ設けられた弾性部材（３２）と、
前記圧縮機（２２）の側方に装着されたアキュームレータ（２４）と
を備えており、
前記アキュームレータ（２４）に近い少なくとも１つの前記弾性部材（３２）の高さは、前記アキュームレータ（２４）から遠い他の前記弾性部材（３２）の高さよりも高く設定されている、
空気調和機の室外機（２１）。
【請求項３】
複数の脚部（４５、４６、４７）を有する圧縮機（４２）と、
前記複数の脚部（４５、４６、４７）を下方からそれぞれ支持する複数の取付台座（４８、４９、５０）を有する底フレーム（４３）と、
前記取付台座（４８、４９、５０）と前記脚部（４５、４６、４７）との間にそれぞれ設けられた弾性部材（５２）と、
前記圧縮機（４２）の側方に装着されたアキュームレータ（４４）と
を備えており、
前記アキュームレータ（４４）に近い少なくとも１つの前記弾性部材（５２）の硬度は、前記アキュームレータ（４４）から遠い他の前記弾性部材（５２）の硬度よりも高く設定されている、
空気調和機の室外機（４１）。
【請求項４】
前記弾性部材（３２、５２）は、複数の弾性部品を積層することにより構成されている、
請求項２または３に記載の室外機（２１、４１）。
【請求項５】
複数の脚部（６５、６６、６７）を有する圧縮機（６２）と、
前記複数の脚部（６５、６６、６７）を下方からそれぞれ支持する複数の取付台座（６８、６９、７０）を有する底フレーム（６３）と、
前記取付台座（６８、６９、７０）と前記脚部（６５、６６、６７）との間にそれぞれ設けられた弾性部材（７２）と、
前記取付台座（６８、６９、７０）と前記脚部（６５、６６、６７）との間において、前記弾性部材（７２）の上方および／または下方に設けられたスペーサ（７９）と、
前記圧縮機（６２）の側方に装着されたアキュームレータ（６４）と
を備えており、
前記アキュームレータ（６４）に近い少なくとも１つの前記スペーサ（７９）の高さは、前記アキュームレータ（６４）から遠い他の前記スペーサ（７９）の高さよりも高く設定されている、
空気調和機の室外機（６１）。
【請求項６】
前記スペーサ（７９）は、複数の介在部品を積層することにより構成されている、
請求項５に記載の室外機（６１）。
【発明の詳細な説明】
【技術分野】
【０００１】
本発明は、空気調和機の室外機に関する。
【背景技術】
【０００２】
従来、冷媒圧縮用の圧縮機が内蔵されており、圧縮機の３基の脚部が水平に延びる底フレームの上に固定された特許文献１の空気調和機の室外機がある。圧縮機の脚部と底フレームとの間に防振ゴム部材が挟持されることによって、圧縮機の振動が底フレームに伝達することを防止している。
【特許文献１】特開２００２−１９５１５９号公報
【発明の開示】
【発明が解決しようとする課題】
【０００３】
従来の室外機には、液冷媒とガス冷媒とを分離するためのアキュームレータ（気液分離器）が圧縮機の側方に装着されている室外機がある。このような室外機では、アキュームレータの重量が圧縮機の中心からずれた方向に偏心して防振ゴム部材に作用するため、圧縮機がアキュームレータ側に傾き、バランスが悪いという問題がある。また、圧縮機が室外機内部の他の部品と接触して振動伝播を生じるおそれもある。
【０００４】
また、圧縮機が傾いて取り付けられることを考慮して圧縮機の設置スペースを室外機内部に広く確保する必要がある。
【０００５】
さらに、圧縮機の取付状態のばらつきも大きくなることによって室外機の信頼性が低下するという問題がある。
【０００６】
本発明の課題は、圧縮機の傾きを防ぎ、省スペース化および振動伝播の低減が可能な空気調和機の室外機を提供することにある。
【課題を解決するための手段】
【０００７】
第１発明の空気調和機の室外機は、圧縮機と、底フレームと、アキュームレータとを備えている。圧縮機は、複数の脚部を有する。底フレームは、複数の脚部を下方からそれぞれ支持する複数の取付台座を有する。アキュームレータは、圧縮機の側方に装着されている。複数の取付台座のうちアキュームレータに近い少なくとも１つの取付台座の高さは、アキュームレータから遠い他の取付台座の高さよりも高く設定されている。
【０００８】
ここでは、圧縮機の脚部を下方からそれぞれ支持する取付台座のうちアキュームレータに近い少なくとも１つの取付台座の高さがアキュームレータから遠い他の取付台座の高さよりも高く設定されているので、アキュームレータの方へ倒れ込む方向への圧縮機の傾きを矯正することが可能である。
【０００９】
第２発明の空気調和機の室外機は、圧縮機と、底フレームと、弾性部材と、アキュームレータとを備えている。圧縮機は、複数の脚部を有する。底フレームは、複数の脚部を下方からそれぞれ支持する複数の取付台座を有する。弾性部材は、取付台座と脚部との間にそれぞれ設けられている。アキュームレータは、圧縮機の側方に装着されている。アキュームレータに近い少なくとも１つの弾性部材の高さは、アキュームレータから遠い他の弾性部材の高さよりも高く設定されている。
【００１０】
ここでは、アキュームレータに近い弾性部材の高さがアキュームレータから遠い他の弾性部材の高さよりも高く設定されているので、アキュームレータが側方に装着された圧縮機が弾性部材の上に載ったときに、アキュームレータの方へ倒れ込む方向への圧縮機の傾きを矯正することが可能である。
【００１１】
第３発明の空気調和機の室外機は、圧縮機と、底フレームと、弾性部材と、アキュームレータとを備えている。圧縮機は、複数の脚部を有する。底フレームは、複数の脚部を下方からそれぞれ支持する複数の取付台座を有する。弾性部材は、取付台座と脚部との間にそれぞれ設けられている。アキュームレータは、圧縮機の側方に装着されている。アキュームレータに近い少なくとも１つの弾性部材の硬度は、アキュームレータから遠い他の弾性部材の硬度よりも高く設定されている。
【００１２】
ここでは、アキュームレータに近い少なくとも１つの弾性部材の硬度がアキュームレータから遠い他の弾性部材の硬度よりも高く設定されているので、アキュームレータが側方に装着された圧縮機が弾性部材の上に載ったときに、アキュームレータの方へ倒れ込む方向への圧縮機の傾きを矯正することが可能である。
【００１３】
第４発明の空気調和機の室外機は、第２発明または第３発明の空気調和機の室外機であって、弾性部材は、複数の弾性部品を積層することにより構成されている。
【００１４】
ここでは、弾性部材が複数の弾性部品を積層することにより構成されているので、弾性部材の高さおよび硬度の調整が容易になる。
【００１５】
第５発明の空気調和機の室外機は、圧縮機と、底フレームと、弾性部材と、スペーサと、アキュームレータとを備えている。圧縮機は、複数の脚部を有する。底フレームは、複数の脚部を下方からそれぞれ支持する複数の取付台座を有する。弾性部材は、取付台座と脚部との間にそれぞれ設けられている。スペーサは、取付台座と脚部との間において、弾性部材の上方および／または下方に設けられている。アキュームレータは、圧縮機の側方に装着されている。アキュームレータに近い少なくとも１つのスペーサの高さは、アキュームレータから遠い他のスペーサの高さよりも高く設定されている。
【００１６】
ここでは、アキュームレータに近い少なくとも１つのスペーサの高さがアキュームレータから遠い他のスペーサの高さよりも高く設定されているので、アキュームレータが側方に装着された圧縮機が弾性部材の上に載ったときに、アキュームレータの方へ倒れ込む方向への圧縮機の傾きを矯正することが可能である。
【００１７】
第６発明の空気調和機の室外機は、第５発明の空気調和機の室外機であって、スペーサは、複数の介在部品を積層することにより構成されている。
【００１８】
ここでは、スペーサが複数の介在部品を積層することにより構成されているので、スペーサの高さの調整が容易になる。
【発明の効果】
【００１９】
第１発明によれば、アキュームレータの方へ倒れ込む方向への圧縮機の傾きを矯正することができる。これにより、省スペース化および振動伝播の低減が可能になる。
【００２０】
第２発明によれば、アキュームレータの方へ倒れ込む方向への圧縮機の傾きを矯正することができる。これにより、省スペース化および振動伝播の低減が可能になる。
【００２１】
第３発明によれば、アキュームレータの方へ倒れ込む方向への圧縮機の傾きを矯正することができる。これにより、省スペース化および振動伝播の低減が可能になる。
【００２２】
第４発明によれば、弾性部材の高さおよび硬度の調整を容易に行うことができる。
【００２３】
第５発明によれば、アキュームレータの方へ倒れ込む方向への圧縮機の傾きを矯正することができる。これにより、省スペース化および振動伝播の低減が可能になる。
【００２４】
第６発明によれば、スペーサの高さの調整を容易に行うことができる。
【発明を実施するための最良の形態】
【００２５】
〔第１実施形態〕
図１〜図３に示されるように、空気調和機の室外機１は、圧縮機２と、底フレーム３と、アキュームレータ４と、室外熱交換器Ｃと、ファンＦとを備えている。室外熱交換器ＣおよびファンＦは、本発明ではとくに限定されるものではなく、従来より使用される種々の態様が採用され得る。
【００２６】
圧縮機２は、冷媒を圧縮するための圧縮機であり、その円柱形状のケーシングの側面周囲には、３基の脚部５、６、７が等間隔に設けられている。
【００２７】
アキュームレータ４は、冷媒を液冷媒とガス冷媒とに分離する。アキュームレータ４は、ガス冷媒のみを圧縮機２に送り込む吐出管４ａを有している。アキュームレータ４の下部は、吐出管４ａを介して圧縮機２のケーシング側面に連結されている。アキュームレータ４の本体部分は、圧縮機２の一対の当接部２ａに当接しているので、ぐらつかないようになっている。
【００２８】
底フレーム３は、室外機１の底面を構成しており、圧縮機の３基の脚部５、６、７を下方からそれぞれ支持するために３基の取付台座８、９、１０を有している。取付台座８、９、１０は、底フレーム３の他の部分より若干上方へ突出している部分であり、金属薄板のプレス加工などによって底フレーム３とともに一体成形されている。なお、取付台座８、９、１０は、底フレーム３と別体に成型した後に底フレーム３の上面に固着してもよい。
【００２９】
図２に示されるように、３基の取付台座８、９、１０のうちアキュームレータ４に近い取付台座８の高さｈ１は、アキュームレータ４から遠い他の取付台座９、１０の高さｈ２、ｈ３よりも高く設定されている。これによって、底フレーム３の圧縮機２を取り付ける取付台座８、９、１０の高さを変えることにより、アキュームレータ４の方へ倒れ込む方向への圧縮機２の傾きを矯正し、圧縮機２を底フレーム３上に垂直に立てて設置することが可能である。
【００３０】
図２および図４に示されるように、３基の取付台座８、９、１０には、支柱１１および防振ゴム部材１２がそれぞれ配置されている。
【００３１】
支柱１１は、圧縮機２の脚部５、６、７にそれぞれ対向するように底フレーム３の取付台座８、９、１０の上面に立設された柱状体である。支柱１１は、図６に示されるように、円板状の台座部分１１ａと、台座部分１１ａの中心に垂直に立っている柱部分１１ｂとを有している。柱部分１１ｂの先端部には、雄ねじ部分１１ｃが形成されている。支柱１１は、金属材料の塑性加工などによって一体成形されている。台座部分１１ａは、底フレーム３の取付台座８、９、１０にスタッド溶接などによって固着されている。また、雄ネジ部分１１ｃは、圧縮機２の脚部５、６、７の貫通孔１６（図２参照）を貫通している。脚部５、６、７の上方に突出した雄ネジ部分１１ｃは、ワッシャ１７を介してナット１８によって締結されている。
【００３２】
防振ゴム部材１２は、図４〜５に示されるように、ゴムで製造された円柱状の弾性部材であり、支柱１１の外径よりも大きい直径を有する貫通孔１３を有している。防振ゴム部材１２は、支柱１１が貫通孔１３に挿入された状態で底フレーム３と脚部５、６、７との間に配置されている。防振ゴム部材１２は、ゴムなので成形しやすい。
【００３３】
防振ゴム部材１２は、図４〜５に示されるように、貫通孔１３の内面において、支柱１１に対する防振ゴム部材１２の位置決め用の突起１４、１５を上下に複数箇所有している。
【００３４】
＜第１実施形態の特徴＞
第１実施形態の空気調和機の室外機１では、圧縮機２の脚部５、６、７を下方からそれぞれ支持する取付台座８、９、１０のうちアキュームレータ４に近い少なくとも１つの取付台座８の高さがアキュームレータから遠い他の取付台座９、１０の高さよりも高く設定されているので、アキュームレータ４の方へ倒れ込む方向への圧縮機２の傾きを矯正することが可能である。また、これによって、圧縮機２が室外機１内部の他の部品と接触して振動伝播を生じるおそれもなくなる。
【００３５】
さらに、圧縮機２が傾いて取り付けられることを考慮する必要が無くなるので、圧縮機２の設置スペースを室外機１内部に広く確保する必要もなくなる。その結果、室外機の小型化が可能になる。
【００３６】
また、圧縮機２の取付状態のばらつきも小さくなり、例えば、配管取付作業性が向上する。その結果、室外機１の信頼性が向上する。
【００３７】
〔第２実施形態〕
図７および図８に示されるように、空気調和機の室外機２１は、圧縮機２２と、底フレーム２３と、アキュームレータ２４と、室外熱交換器およびファン（図示せず）とを備えている。
【００３８】
圧縮機２２は、冷媒を圧縮するための圧縮機であり、その円柱形状のケーシングの側面周囲には、３基の脚部２５、２６、２７が等間隔に設けられている。
【００３９】
アキュームレータ２４は、冷媒を液冷媒とガス冷媒とに分離する。アキュームレータ２４は、ガス冷媒のみを圧縮機２２に送り込む吐出管２４ａを有している。アキュームレータ２４の下部は、吐出管２４ａを介して圧縮機２２のケーシング側面に連結されている。アキュームレータ２４の本体部分は、圧縮機２２の一対の当接部２２ａに当接しているので、ぐらつかないようになっている。
【００４０】
底フレーム２３は、室外機２１の底面を構成しており、圧縮機の３基の脚部２５、２６、２７を下方からそれぞれ支持するために３基の取付台座２８、２９、３０を有している。取付台座２８、２９、３０は、底フレーム２３の他の部分より若干上方へ突出している部分であり、金属薄板のプレス加工などによって底フレーム２３とともに一体成形されている。なお、取付台座２８、２９、３０は、底フレーム２３と別体に成型した後に底フレーム２３の上面に固着してもよい。取付台座２８、２９、３０は、同一の高さを有している。
【００４１】
図７および図８に示されるように、３基の取付台座２８、２９、３０には、支柱３１および防振ゴム部材３２（３２ａ、３２ｂ、３２ｃ）がそれぞれ配置されている。
【００４２】
図９に示されるように、３カ所の防振ゴム部材３２（３２a、３２ｂ、３２ｃ）は、いずれも同じ硬度を有している。圧縮荷重がかかっていない状態で比較した場合（図９の破線部分参照）、３カ所の防振ゴム部材３２（３２a、３２ｂ、３２ｃ）のうち、アキュームレータ２４に近い防振ゴム部材３２ａの高さｈ１１ａは、アキュームレータ２４から遠い他の防振ゴム部材３２ｂ、３２ｃの高さｈ１２ａ、ｈ１３ａよりも高く設定されている。
【００４３】
圧縮機２２を支持した状態（図９の実線部分参照）では、アキュームレータ２４に近い防振ゴム部材３２ａには、アキュームレータ２４による偏心荷重の大部分を受けるので、大きな圧縮荷重Ｆ１が作用する。そのため、防振ゴム部材３２ａは、高さｈ１１ｂまで圧縮される。一方、他の防振ゴム部材３２ｂ、３２ｃには、圧縮荷重Ｆ１より小さい圧縮荷重Ｆ２、Ｆ３が作用するため、防振ゴム部材３２ｂ、３２ｃは、高さｈ１１ｂと等しい高さｈ１２ｂ、ｈ１３ｂまで圧縮される。したがって、図９の実線部分および図７で示されるように、圧縮機２２を支持した状態では、圧縮された防振ゴム部材３２ａ、３２ｂ、３２ｃは、同じ高さ（ｈ１１ｂ＝ｈ１２ｂ＝ｈ１３ｂ）まで圧縮される。
【００４４】
このように、高さが異なる防振ゴム部材３２ａ、３２ｂ、３２ｃを用いることにより、図７に示されるように、アキュームレータ２４の方へ倒れ込む方向への圧縮機２２の傾きを矯正し、圧縮機２２を底フレーム２３上に垂直に立てて設置することが可能である。
【００４５】
支柱３１は、第１実施形態と同様に、圧縮機２２の脚部２５、２６、２７にそれぞれ対向するように底フレーム２３の取付台座２８、２９、３０の上面に立設された柱状体である。支柱３１は、図１０に示されるように、円板状の台座部分３１ａと、台座部分３１ａの中心に垂直に立っている柱部分３１ｂとを有している。柱部分３１ｂの先端部には、雄ねじ部分３１ｃが形成されている。支柱３１は、金属材料の塑性加工などによって一体成形されている。台座部分３１ａは、底フレーム２３の取付台座２８、２９、３０にスタッド溶接などによって固着されている。また、雄ネジ部分３１ｃは、圧縮機２２の脚部２５、２６、２７の貫通孔３６（図７参照）を貫通している。脚部２５、２６、２７の上方に突出した雄ネジ部分３１ｃは、ワッシャ３７を介してナット３８によって締結されている。
【００４６】
防振ゴム部材３２（３２ａ、３２ｂ、３２ｃ）は、同じ硬度のゴムで製造された円柱状の弾性部材であり、支柱３１の外径よりも大きい直径を有する貫通孔３３を有している。防振ゴム部材３２は、支柱３１が貫通孔３３に挿入された状態で底フレーム２３と脚部２５、２６、２７との間に配置されている。防振ゴム部材３２は、ゴムなので成形しやすい。
【００４７】
防振ゴム部材３２は、貫通孔３３の内面において、支柱３１に対する防振ゴム部材３２の位置決め用の突起３４、３５を上下に複数箇所有している。
【００４８】
＜第２実施形態の特徴＞
第２実施形態の空気調和機の室外機２１では、圧縮荷重がかかっていない状態で比較した場合、３カ所の防振ゴム部材３２（３２a、３２ｂ、３２ｃ）のうちアキュームレータ２４に近い防振ゴム部材３２ａの高さｈ１１ａは、アキュームレータ２４から遠い他の防振ゴム部材３２ｂ、３２ｃの高さｈ１２ａ、ｈ１３ａよりも高く設定されている。これにより、アキュームレータ２４が側方に装着された圧縮機２２が３カ所の防振ゴム部材３２（３２a、３２ｂ、３２ｃ）の上に載ったときに、アキュームレータ２４の方へ倒れ込む方向への圧縮機２２の傾きを矯正することが可能である。また、これによって、圧縮機２２が室外機２１内部の他の部品と接触して振動伝播を生じるおそれもなくなる。
【００４９】
さらに、圧縮機２２が傾いて取り付けられることを考慮する必要が無くなるので、圧縮機２２の設置スペースを室外機２１内部に広く確保する必要もなくなる。その結果、室外機の小型化が可能になる。
【００５０】
また、圧縮機２２の取付状態のばらつきも小さくなり、例えば、配管取付作業性が向上する。その結果、室外機２１の信頼性が向上する。
【００５１】
＜第２実施形態の変形例＞
第２実施形態の防振ゴム部材３２は、一体成形されているもの用いられているが、本発明はこれに限定されるものでなく、複数の弾性部品（例えば、ゴム製のワッシャなど）を積層することにより構成されてもよい。この場合、防振ゴム部材の高さおよび硬度の調整が容易になる。
【００５２】
〔第３実施形態〕
図１１および図１２に示されるように、空気調和機の室外機４１は、圧縮機４２と、底フレーム４３と、アキュームレータ４４と、室外熱交換器およびファン（図示せず）とを備えている。
【００５３】
圧縮機４２は、冷媒を圧縮するための圧縮機であり、その円柱形状のケーシングの側面周囲には、３基の脚部４５、４６、４７が等間隔に設けられている。
【００５４】
アキュームレータ４４は、冷媒を液冷媒とガス冷媒とに分離する。アキュームレータ４４は、ガス冷媒のみを圧縮機４２に送り込む吐出管４４ａを有している。アキュームレータ４４の下部は、吐出管４４ａを介して圧縮機４２のケーシング側面に連結されている。アキュームレータ４４の本体部分は、圧縮機４２の一対の当接部４２ａに当接しているので、ぐらつかないようになっている。
【００５５】
底フレーム４３は、室外機４１の底面を構成しており、圧縮機の３基の脚部４５、４６、４７を下方からそれぞれ支持するために３基の取付台座４８、４９、５０を有している。取付台座４８、４９、５０は、底フレーム４３の他の部分より若干上方へ突出している部分であり、金属薄板のプレス加工などによって底フレーム４３とともに一体成形されている。なお、取付台座４８、４９、５０は、底フレーム４３と別体に成型した後に底フレーム４３の上面に固着してもよい。取付台座４８、４９、５０は、同一の高さを有している。
【００５６】
図１１および図１２に示されるように、３基の取付台座４８、４９、５０には、支柱５１および防振ゴム部材５２（５２ａ、５２ｂ、５２ｃ）がそれぞれ配置されている。
【００５７】
３カ所の防振ゴム部材５２（５２a、５２ｂ、５２ｃ）のうち、アキュームレータ４４に近い防振ゴム部材５２ａの硬度は、アキュームレータ４４から遠い他の防振ゴム部材５２ｂ、５２ｃの硬度よりも高く設定されている。
【００５８】
したがって、図１３に示されるように、３カ所の防振ゴム部材５２（５２a、５２ｂ、５２ｃ）は、圧縮荷重がかかっていない状態（図１３の破線部分参照）もほぼ同じ高さ（ｈ２１ａ＝ｈ２２ａ＝ｈ２３ａ）であり、アキュームレータ４４側に偏った圧縮荷重がかかった状態（図１３の実線部分参照）でも、ほぼ同じ高さ（ｈ２１ｂ＝ｈ２２ｂ＝ｈ２３ｂ）を維持できるようになっている。
【００５９】
すなわち、図１３に示されるように、圧縮機４２を支持した状態では、アキュームレータ４４に近い防振ゴム部材５２ａには、アキュームレータ４４による偏心荷重の大部分を受けるので、大きな圧縮荷重Ｆ１が作用するが、防振ゴム部材５２ａは、他の防振ゴム部材５２ｂ、５２ｃよりも硬度が高いので、比較的小さい圧縮量ですみ、高さｈ２１ｂまで圧縮される。一方、他の防振ゴム部材５２ｂ、５２ｃには、圧縮荷重Ｆ１より小さい圧縮荷重Ｆ２、Ｆ３が作用するが、防振ゴム部材５２ｂ、５２ｃは、防振ゴム部材５２ａよりも大きい圧縮量になり、高さｈ２１ｂと等しい高さｈ２２ｂ、ｈ２３ｂまで圧縮される。これによって、図１３の破線部分および図１１で示されるように、圧縮機４２を支持した状態では、圧縮された防振ゴム部材５２ａ、５２ｂ、５２ｃは、同じ高さ（ｈ２１ｂ＝ｈ２２ｂ＝ｈ２３ｂ）まで圧縮される。
【００６０】
このように、硬度が異なる防振ゴム部材５２ａ、５２ｂ、５２ｃを用いることにより、図１１に示されるように、アキュームレータ４４の方へ倒れ込む方向への圧縮機４２の傾きを矯正し、圧縮機４２を底フレーム４３上に垂直に立てて設置することが可能である。
【００６１】
支柱５１は、第１実施形態と同様に、圧縮機４２の脚部４５、４６、４７にそれぞれ対向するように底フレーム４３の取付台座４８、４９、５０の上面に立設された柱状体である。支柱５１は、図１４に示されるように、円板状の台座部分５１ａと、台座部分５１ａの中心に垂直に立っている柱部分５１ｂとを有している。柱部分５１ｂの先端部には、雄ねじ部分５１ｃが形成されている。支柱５１は、金属材料の塑性加工などによって一体成形されている。台座部分５１ａは、底フレーム４３の取付台座４８、４９、５０にスタッド溶接などによって固着されている。また、雄ネジ部分５１ｃは、圧縮機４２の脚部４５、４６、４７の貫通孔５６（図１１参照）を貫通している。脚部４５、４６、４７の上方に突出した雄ネジ部分５１ｃは、ワッシャ５７を介してナット５８によって締結されている。
【００６２】
防振ゴム部材５２（５２ａ、５２ｂ、５２ｃ）は、円柱状の弾性部材であり、支柱５１の外径よりも大きい直径を有する貫通孔５３を有している。防振ゴム部材５２は、支柱５１が貫通孔３３に挿入された状態で底フレーム４３と脚部４５、４６、４７との間に配置されている。防振ゴム部材５２は、ゴムなので成形しやすい。防振ゴム部材５２（５２ａ、５２ｂ、５２ｃ）は、同一形状であるが、防振ゴム部材５２ａ（図１１参照）の硬度は、他の防振ゴム部材５２ｂ、５２ｃ（図１１参照）の硬度よりも高く設定されている。
【００６３】
防振ゴム部材５２は、貫通孔５３の内面において、支柱５１に対する防振ゴム部材５２の位置決め用の突起５４、５５を上下に複数箇所有している。
【００６４】
＜第３実施形態の特徴＞
（１）
第３実施形態の空気調和機の室外機４１では、３カ所の防振ゴム部材５２（５２a、５２ｂ、５２ｃ）のうち、アキュームレータ４４に近い防振ゴム部材５２ａの硬度は、アキュームレータ４４から遠い他の防振ゴム部材５２ｂ、５２ｃの硬度よりも高く設定されている。これにより、アキュームレータ４４が側方に装着された圧縮機４２が３カ所の防振ゴム部材５２（５２a、５２ｂ、５２ｃ）の上に載ったときに、アキュームレータ４４の方へ倒れ込む方向への圧縮機４２の傾きを矯正することが可能である。また、これによって、圧縮機４２が室外機４１内部の他の部品と接触して振動伝播を生じるおそれもなくなる。
【００６５】
さらに、圧縮機４２が傾いて取り付けられることを考慮する必要が無くなるので、圧縮機４２の設置スペースを室外機４１内部に広く確保する必要もなくなる。その結果、室外機の小型化が可能になる。
【００６６】
また、圧縮機４２の取付状態のばらつきも小さくなり、例えば、配管取付作業性が向上する。その結果、室外機４１の信頼性が向上する。
【００６７】
（２）
第３実施形態の防振ゴム部材５２（５２a、５２ｂ、５２ｃ）は、圧縮後の状態で同じ高さであるが、圧縮前の状態も同じ高さであるので、圧縮機４２の据付作業中に傾きが生じることなくなるので、底フレーム４３上に圧縮機４２を正しく立てる作業が容易になる。
【００６８】
＜第３実施形態の変形例＞
（Ａ）
第３実施形態の３カ所の防振ゴム部材５２（５２a、５２ｂ、５２ｃ）は、圧縮加重がかかっていない初期状態において同じ高さ（ｈ２１ａ＝ｈ２２ａ＝ｈ２３ａ）である例が示されているが、本発明はこれに限定されるものではなく、圧縮加重がかかっていない初期状態において異なる高さを有する３カ所の防振ゴム部材を用いてもよい。この場合も上記実施形態と同様に、アキュームレータ４４の方へ倒れ込む方向への圧縮機４２の傾きを矯正することが可能である。
【００６９】
（Ｂ）
第３実施形態の防振ゴム部材５２は、一体成形されているもの用いられているが、本発明はこれに限定されるものでなく、複数の弾性部品（例えば、ゴム製のワッシャなど）を積層することにより構成されてもよい。この場合、防振ゴム部材の高さおよび硬度の調整が容易になる。
【００７０】
〔第４実施形態〕
図１５および図１６に示されるように、空気調和機の室外機６１は、圧縮機６２と、底フレーム６３と、アキュームレータ６４と、室外熱交換器およびファン（図示せず）とを備えている。
【００７１】
圧縮機６２は、冷媒を圧縮するための圧縮機であり、その円柱形状のケーシングの側面周囲には、３基の脚部６５、６６、６７が等間隔に設けられている。
【００７２】
アキュームレータ６４は、冷媒を液冷媒とガス冷媒とに分離する。アキュームレータ６４は、ガス冷媒のみを圧縮機６２に送り込む吐出管６４ａを有している。アキュームレータ６４の下部は、吐出管６４ａを介して圧縮機６２のケーシング側面に連結されている。アキュームレータ６４の本体部分は、圧縮機６２の一対の当接部６２ａに当接しているので、ぐらつかないようになっている。
【００７３】
底フレーム６３は、室外機６１の底面を構成しており、圧縮機の３基の脚部６５、６６、６７を下方からそれぞれ支持するために３基の取付台座６８、６９、７０を有している。取付台座６８、６９、７０は、底フレーム６３の他の部分より若干上方へ突出している部分であり、金属薄板のプレス加工などによって底フレーム６３とともに一体成形されている。なお、取付台座６８、６９、７０は、底フレーム６３と別体に成型した後に底フレーム６３の上面に固着してもよい。取付台座６８、６９、７０は、同一の高さを有している。
【００７４】
図１５および図１６に示されるように、３基の取付台座６８、６９、７０には、支柱７１および防振ゴム部材７２がそれぞれ配置されている。
【００７５】
さらに、取付台座６８、６９、７０と脚部６５、６６、６７との間において、防振ゴム部材７２の下方には、それぞれスペーサ７９（７９ａ、７９ｂ、７９ｃ）が設けられている。
【００７６】
３カ所のスペーサ７９（７９a、７９ｂ、７９ｃ）のうち、アキュームレータ６４に近いスペーサ７９ａの高さｈ３１は、アキュームレータ６４から遠い他のスペーサ７９ｂ、７９ｃの高さｈ３２、ｈ３３よりも高く設定されている。
【００７７】
このように、高さが異なるスペーサ７９ａ、７９ｂ、７９ｃを用いることにより、図１５に示されるように、アキュームレータ６４の方へ倒れ込む方向への圧縮機６２の傾きを矯正し、圧縮機６２を底フレーム６３上に垂直に立てて設置することが可能である。
【００７８】
支柱７１は、第１実施形態と同様に、圧縮機６２の脚部６５、６６、６７にそれぞれ対向するように底フレーム６３の取付台座６８、６９、７０の上面に立設された柱状体である。支柱７１は、図１７に示されるように、円板状の台座部分７１ａと、台座部分７１ａの中心に垂直に立っている柱部分７１ｂとを有している。柱部分７１ｂの先端部には、雄ねじ部分７１ｃが形成されている。支柱７１は、金属材料の塑性加工などによって一体成形されている。台座部分７１ａは、底フレーム６３の取付台座６８、６９、７０にスタッド溶接などによって固着されている。また、雄ネジ部分７１ｃは、圧縮機６２の脚部６５、６６、６７の貫通孔７６（図１５参照）を貫通している。脚部６５、６６、６７の上方に突出した雄ネジ部分７１ｃは、ワッシャ７７を介してナット７８によって締結されている。
【００７９】
防振ゴム部材７２（７２ａ、７２ｂ、７２ｃ）は、同じ硬度のゴムで製造された円柱状の弾性部材であり、支柱７１の外径よりも大きい直径を有する貫通孔７３を有している。防振ゴム部材７２は、支柱７１が貫通孔７３に挿入された状態で底フレーム６３と脚部６５、６６、６７との間に配置されている。防振ゴム部材７２は、ゴムなので成形しやすい。
【００８０】
防振ゴム部材７２は、貫通孔７３の内面において、支柱７１に対する防振ゴム部材７２の位置決め用の突起７４、７５を上下に複数箇所有している。
【００８１】
スペーサ７９（７９ａ、７９ｂ、７９ｃ）は、プラスチックまたは金属製の円板状の部材であり、アキュームレータ６４に近い位置に設置されるスペーサ７９ａの高さｈ３１は、他のスペーサ７９ｂ、７９ｃの高さｈ３２、ｈ３３よりも高く設定されている。
【００８２】
＜第４実施形態の特徴＞
第４実施形態の空気調和機の室外機６１では、取付台座６８、６９、７０と脚部６５、６６、６７との間において、防振ゴム部材７２の下方には、それぞれスペーサ７９（７９ａ、７９ｂ、７９ｃ）が設けられている。３カ所のスペーサ７９（７９a、７９ｂ、７９ｃ）のうち、アキュームレータ２４に近いスペーサ７９ａの高さｈ３１は、アキュームレータ２４から遠い他のスペーサ７９ｂ、７９ｃの高さｈ３２、ｈ７３よりも高く設定されている。
これにより、アキュームレータ６４が側方に装着された圧縮機６２が３カ所の防振ゴム部材７２（７２a、７２ｂ、７２ｃ）の上に載ったときに、アキュームレータ６４の方へ倒れ込む方向への圧縮機６２の傾きを矯正することが可能である。また、これによって、圧縮機６２が室外機６１内部の他の部品と接触して振動伝播を生じるおそれもなくなる。
【００８３】
さらに、圧縮機６２が傾いて取り付けられることを考慮する必要が無くなるので、圧縮機６２の設置スペースを室外機６１内部に広く確保する必要もなくなる。その結果、室外機の小型化が可能になる。
【００８４】
また、圧縮機６２の取付状態のばらつきも小さくなり、例えば、配管取付作業性が向上する。その結果、室外機６１の信頼性が向上する。
【００８５】
＜第４実施形態の変形例＞
（Ａ）
第４実施形態のスペーサ７９は、一体成形されているもの用いられているが、本発明はこれに限定されるものでなく、複数の介在部品（例えば、プラスチックまたは金属製のワッシャなど）を積層することにより構成されてもよい。この場合、スペーサの高さの調整が容易になる。
【００８６】
（Ｂ）
さらに、第４実施形態では、スペーサ７９が防振ゴム部材７２の下方にそれぞれ設けられているが、本発明はこれに限定されるものではなく、防振ゴム部材７２の上方または下方のいずれか一方、あるいは、防振ゴム部材７２の上方および下方の両方にスペーサ７９を設けてもよい。この場合、スペーサ７９の好ましい配置を選択することによって、アキュームレータ６４の方へ倒れ込む方向への圧縮機６２の傾きを好適な条件で矯正することが可能である。
【００８７】
（Ｃ）
なお、また、第４実施形態では、スペーサ７９がすべての防振ゴム部材７２の下方にそれぞれ設けられているが、本発明はこれに限定されるものではなく、アキュームレータ６４による偏心荷重がかからない防振ゴム部材７２の箇所については、スペーサ７９を省略してもよい。
【産業上の利用可能性】
【００８８】
本発明は、圧縮機の側方にアキュームレータが取り付けられた空気調和機の室外機に適用することが可能である。
【図面の簡単な説明】
【００８９】
【図１】本発明の第１実施形態に係わる空気調和機の室外機の内部における圧縮機の配置を示す斜視図。
【図２】図１の圧縮機の取付構造を示す正面図。
【図３】図１の圧縮機およびアキュームレータの配置を示す平面図。
【図４】図２の支柱および防振ゴム部材を組み合わせた状態を示す部分断面図。
【図５】図４の防振ゴム部材の部分断面図。
【図６】図４の支柱の正面図。
【図７】本発明の第２実施形態に係わる空気調和機の室外機における圧縮機の取付構造を示す正面図。
【図８】図７の圧縮機およびアキュームレータの配置を示す平面図。
【図９】図７の防振ゴム部材の圧縮量の比較をした正面図。
【図１０】図７の支柱および防振ゴム部材を組み合わせた状態を示す部分断面図。
【図１１】本発明の第３実施形態に係わる空気調和機の室外機における圧縮機の取付構造を示す正面図。
【図１２】図１１の圧縮機およびアキュームレータの配置を示す平面図。
【図１３】図１１の防振ゴム部材の圧縮量の比較をした正面図。
【図１４】図１１の支柱および防振ゴム部材を組み合わせた状態を示す部分断面図。
【図１５】本発明の第４実施形態に係わる空気調和機の室外機における圧縮機の取付構造を示す正面図。
【図１６】図１５の圧縮機およびアキュームレータの配置を示す平面図。
【図１７】図１５の支柱、防振ゴム部材およびスペーサを組み合わせた状態を示す部分断面図。
【符号の説明】
【００９０】
１、２１、４１、６１  空気調和機の室外機
２、２２、４２、６２  圧縮機
３、２３、４３、６３  底フレーム
４、２４、４４、６４  アキュームレータ
５、２５、４５、６５  脚部
６、２６、４６、６６  脚部
７、２７、４７、６７  脚部
８、２８、４８、６８  取付台座
９、２９、４９、６９  取付台座
１０、３０、５０、７０  取付台座
１１、３１、５１、７１  支柱
１２、３２、５２、７２  防振ゴム部材
【図１】
2008151360.tif 000003
【図２】
2008151360.tif 000004
【図３】
2008151360.tif 000005
【図４】
2008151360.tif 000006
【図５】
2008151360.tif 000007
【図６】
2008151360.tif 000008
【図７】
2008151360.tif 000009
【図８】
2008151360.tif 000010
【図９】
2008151360.tif 000011
【図１０】
2008151360.tif 000012
【図１１】
2008151360.tif 000013
【図１２】
2008151360.tif 000014
【図１３】
2008151360.tif 000015
【図１４】
2008151360.tif 000016
【図１５】
2008151360.tif 000017
【図１６】
2008151360.tif 000018
【図１７】
2008151360.tif 000019